(57)【要約】【課題】例えば、浸漬リソグラフィ装置内での焦点合せが改善されたリソグラフィ投影装置を提供すること。【解決手段】基板は、液体供給システムから供給された浸漬液の中で露光される。露光前に、測定部で基板表面のマップが生成される。測定が液体中で行われるように、測定システムと基板の間の空間が液体供給システムによって満たされる。【選択図】図５
2005294839.tif 000002
【特許請求の範囲】
【請求項１】
リソグラフィ装置であって、
放射ビームを供給するように構成された照明システムと、
ビームの断面にパターンを付与するように構成されたパターン形成装置を保持するように構成された支持構造と、
基板を保持するように構成された基板テーブルと、
前記基板の標的部分上に前記パターン形成されたビームを投影するように構成された投影システムと、
前記投影システムと前記基板テーブルの間の空間を少なくとも部分的に第１の液体で満たすように構成された第１の液体供給システムと、
前記基板上の複数の点の位置をそれぞれ測定するように構成され、かつ前記第１の液体供給システムからは供給されない第２の液体中で測定が行われるように構成された測定システムと
を備える、リソグラフィ装置。
【請求項２】
前記測定システムと前記基板テーブルの間の空間を、少なくとも部分的に前記第２の液体で満たすように構成された第２の液体供給システムを更に含む、請求項１に記載のリソグラフィ装置。
【請求項３】
前記第２の液体供給システムが、前記測定システムの最終要素と前記基板テーブルとの間の空間を、少なくとも部分的に前記第２の液体で満たすように構成される、請求項２に記載のリソグラフィ装置。
【請求項４】
前記第１の液体供給システムが、前記投影システムの最終要素と前記基板テーブルの間の空間を、少なくとも部分的に第１の液体で満たすように構成される、請求項１、２又は３に記載のリソグラフィ装置。
【請求項５】
リソグラフィ装置であって、
放射ビームを供給するように構成された照明システムと、
ビームの断面にパターンを付与するように構成されたパターン形成装置を保持するように構成された支持構造と、
基板を保持するように構成された基板テーブルと、
前記基板の標的部分上に前記パターン形成されたビームを投影するように構成された投影システムと、
測定ビームを使用して前記基板上の複数の点の位置をそれぞれ測定するように構成された測定システムと、
前記投影システムと前記基板テーブルの間の空間、並びに前記測定システムと前記基板テーブルの間の空間を少なくとも部分的に液体で満たすように構成された液体供給システムと
を備え、
前記測定システムが、前記基板テーブルが前記投影ビーム及び前記測定ビームの経路内に同時に存在できないように構成されている、リソグラフィ装置。
【請求項６】
前記投影システムと前記基板テーブルの間の空間に満たされる液体の液体源、並びに前記測定システムと前記基板テーブルの間の空間を満たす液体の液体源が同じである、請求項５に記載のリソグラフィ装置。
【請求項７】
前記液体供給システムが、前記投影システムの最終要素と前記基板テーブルの間の空間を少なくとも部分的に液体で満たすように構成されている、請求項５又は６に記載のリソグラフィ装置。
【請求項８】
前記液体供給システムが、前記測定システムと前記基板テーブルの間の空間の境界、前記投影システムと前記基板テーブルの間の空間の境界、或いは両方の空間の境界の少なくとも一部分に沿って延びる封止部材を含む、請求項５から７までのいずれか一項に記載のリソグラフィ装置。
【請求項９】
前記封止部材が、前記空間の周りに閉ループを形成している、請求項８に記載のリソグラフィ装置。
【請求項１０】
前記液体供給システムが、前記封止部材と前記基板の表面との間にシールを形成するように構成されたシールを更に含む、請求項８又は９に記載のリソグラフィ装置。
【請求項１１】
前記シールが、気体シール、流体静力学的シール、又は流体動力学的シールである、請求項１０に記載のリソグラフィ装置。
【請求項１２】
測定システムから投影される測定ビームを使用して、基板上の複数の点の位置をそれぞれ測定する工程であって、測定が液体中で行われるが、前記基板と投影システムの間に供給される液体中では行われない工程と、
前記基板と前記投影システムの間に供給される液体を通して、パターン形成された放射ビームを前記基板の標的部分上に投影する工程と
を含む、デバイス製造方法。
【請求項１３】
測定システムから投影される測定ビームを使用して、前記測定システムと前記基板の間に供給される液体中で基板上の複数の点の位置をそれぞれ測定する工程と、
液体を通して、パターン形成された放射ビームを前記基板の標的部分上に投影する工程と
を含み、
前記パターン形成されたビーム及び前記測定ビームが、前記パターン形成されたビーム及び前記測定ビームの経路内に前記基板が同時に存在しないように構成されている、デバイス製造方法。
【請求項１４】
前記測定システムと前記基板の間の空間、前記投影システムと前記基板の間の空間、或いは両方の空間を少なくとも部分的に満たす工程を含む、請求項１２又は１３に記載のデバイス製造方法。
【請求項１５】
前記測定システムと前記基板の間に供給される液体の液体源と、前記投影システムと前記基板の間に供給される液体の液体源が同じである、請求項１２、１３又は１４に記載のデバイス製造方法。
【請求項１６】
前記測定システムと前記基板の間の空間の境界、前記投影システムと前記基板の間の空間の境界、或いは両方の境界の少なくとも一部分を封止する工程を含む、請求項１２、１３、１４又は１５に記載のデバイス製造方法。
【請求項１７】
前記封止工程が、気体シール、流体静力学的シール、又は流体動力学的シールで行われる、請求項１６に記載のデバイス製造方法。
【請求項１８】
基板上の複数の点のそれぞれの位置を測定する工程が、前記基板上の複数の点のそれぞれの位置の高さ、傾斜、又は両方を測定する工程を含む、請求項１２から１７までのいずれか一項に記載のデバイス製造方法。
【請求項１９】
基板上の複数の点のそれぞれの位置を測定する工程が、前記基板上の複数の位置合せマークのそれぞれの位置を測定する工程を含む、請求項１８に記載のデバイス製造方法。
【請求項２０】
基板上の複数の点のそれぞれの位置を測定する工程が、前記基板上の複数の位置合せマークのそれぞれの位置を測定する工程を含む、請求項１２から１９までのいずれか一項に記載のデバイス製造方法。
【請求項２１】
前記基板を保持する基板テーブルの参照基準の位置を測定する工程を含む、請求項１２から１９までのいずれか一項に記載のデバイス製造方法。
【請求項２２】
基板上の複数の点のそれぞれの位置を測定する工程が、前記基板テーブルの参照基準を基準として、前記基板上の複数の位置合せマークのそれぞれの位置を測定する工程を含む、請求項２１に記載のデバイス製造方法。
【請求項２３】
前記基板を露光部と別に設けた測定部との間で移動させる工程を含み、前記投影システムが前記露光部に設けられ、前記測定システムが前記測定部に設けられている、請求項１２から２２までのいずれか一項に記載のデバイス製造方法。
【請求項２４】
前記露光部及び前記測定部が、基板が前記露光部及び前記測定部に同時に存在できないように構成されている、請求項２３に記載のデバイス製造方法。
【請求項２５】
複数の基板テーブルのそれぞれを、前記露光部と前記測定部の間で移動させる工程を含む、請求項２３又は２４に記載のデバイス製造方法。
【請求項２６】
リソグラフィ装置であって、
放射ビームを供給するように構成された照明システムと、
ビームの断面にパターンを付与するように構成されたパターン形成装置を保持するように構成された支持構造と、
基板を保持するように構成された基板テーブルと、
前記基板の標的部分上に前記パターン形成されたビームを投影するように構成された投影システムと、
前記投影システムの最終要素と前記基板テーブルとの間の空間を、少なくとも部分的に第１の液体で満たすように構成された第１の液体供給システムと、
前記基板上の複数の点の位置をそれぞれ測定するように構成され、かつ前記第１の液体供給システムからは供給されない第２の液体中で測定が行われるように構成された測定システムと
を含むリソグラフィ装置。
【請求項２７】
前記測定システムの最終要素と前記基板テーブルとの間の空間を、少なくとも部分的に前記第２の液体で満たすように構成された第２の液体供給システムを更に含む、請求項２６に記載のリソグラフィ装置。
【請求項２８】
前記第１の液体供給システムの液体源と前記第２の液体供給システムの液体源とが同じである、請求項２又は２７のいずれか一項に記載のリソグラフィ装置。
【請求項２９】
前記第２の液体供給システムが、前記測定システムと前記基板テーブルとの間の空間の境界の少なくとも一部分に沿って延びる封止部材を含む、請求項２、２７又は２８のいずれか一項に記載のリソグラフィ装置。
【請求項３０】
前記封止部材が、前記測定装置と前記基板テーブルとの間の空間の周りに閉ループを形成している、請求項２、２７、２８又は２９に記載のリソグラフィ装置。
【請求項３１】
前記第２の液体供給システムが、前記封止部材と前記基板の表面との間にシールを形成するように構成されたシールを更に含む、請求項２９に記載のリソグラフィ装置。
【請求項３２】
前記シールが、気体シール、流体静力学的シール、又は流体動力学的シールである、請求項３１に記載のリソグラフィ装置。
【請求項３３】
前記第１の液体供給システムが、前記投影システムと前記基板テーブルとの間の空間の境界の少なくとも一部分に沿って延びる封止部材を含む、請求項１から４まで、又は請求項２６から３２までのいずれか一項に記載のリソグラフィ装置。
【請求項３４】
前記封止部材が、前記投影システムと前記基板テーブルとの間の空間の周りに閉ループを形成する、請求項３３に記載のリソグラフィ装置。
【請求項３５】
前記第１の液体供給システムが、前記封止部材と前記基板の表面との間にシールを形成するように構成されたシールを更に含む、請求項３３又は３４に記載のリソグラフィ装置。
【請求項３６】
前記シールが、気体シール、流体静力学的シール、又は流体動力学的シールである、請求項３５に記載のリソグラフィ装置。
【請求項３７】
前記測定システムが、前記基板上の複数の点のそれぞれの高さ、傾斜、又は両方を測定するように構成されたレベル・センサを含む、請求項１から１１まで、又は請求項２６から３６までのいずれか一項に記載のリソグラフィ装置。
【請求項３８】
前記測定システムが、前記基板上の複数の位置合せマークのそれぞれの位置を測定するように構成された位置合せシステムを含む、請求項１から１１まで、又は請求項２６から３７までのいずれか一項に記載のリソグラフィ装置。
【請求項３９】
前記測定システムが、前記基板上の複数の位置合せマークのそれぞれの位置を測定するように構成された位置合せシステムを含む、請求項１から１１まで、又は請求項２６から３８までのいずれか一項に記載のリソグラフィ装置。
【請求項４０】
前記基板テーブルが参照基準を有し、前記測定システムが前記参照基準の位置を測定する、請求項１から１１まで、又は請求項２６から３９までのいずれか一項に記載のリソグラフィ装置。
【請求項４１】
前記参照基準が、透過画像センサを含む、請求項４０に記載のリソグラフィ装置。
【請求項４２】
前記測定システムが、前記基板テーブルの参照基準を基準として、前記基板上の複数の位置合せマークのそれぞれの位置を測定するように構成されている、請求項１から１１まで、又は請求項２６から４１までのいずれか一項に記載のリソグラフィ装置。
【請求項４３】
露光部と、別に設けた測定部とを含み、前記投影システムが前記露光部に設けられ、前記測定システムが前記測定部に設けられ、前記基板テーブルが前記露光部と前記測定部の間で移動可能である、請求項１から１１まで、又は請求項２６から４２までのいずれか一項に記載のリソグラフィ装置。
【請求項４４】
前記露光部及び前記測定部が、基板が前記露光部及び前記測定部に同時に存在できないように構成された、請求項４３に記載のリソグラフィ装置。
【請求項４５】
前記露光部と前記測定部の間でそれぞれ移動可能な複数の基板テーブルを含む、請求項１から１１まで、又は請求項２６から４４までのいずれか一項に記載のリソグラフィ装置。
【発明の詳細な説明】
【技術分野】
【０００１】
本発明は、リソグラフィ装置、デバイス製造方法、及びその方法により製造したデバイスに関する。
【背景技術】
【０００２】
リソグラフィ装置は、基板の標的部分に所望のパターンを施す機械装置である。リソグラフィ装置は、例えば、集積回路（ＩＣ）を製造する際に使用することができる。その場合、ＩＣの個々の層に対応する回路パターンを生成するために、マスク等のパターン形成装置を使用することができ、このパターンは、放射線感応材料（レジスト）の層を有する基板（例えば、シリコン・ウェハ）上の標的部分（例えば、１つ又は複数のダイを含む部分）上に結像することができる。一般に、単一の基板は、次々に露光される、互いに隣接する標的部分からなるネットワークを含む。公知のリソグラフィ装置には、パターン全体を各標的部分上に一度に露光させることによって標的部分が照射される、いわゆるステッパ、及び、投影ビームを介して所与の方向（「走査」方向）にパターンを走査し、それと同期して、この方向と平行又は逆平行に基板を同期走査することによって、各標的部分が照射される、いわゆるスキャナが含まれる。
【０００３】
リソグラフィ投影装置内で比較的高い屈折率を有する液体、例えば水の中に基板を浸漬させて投影システムの最終要素と基板の間の空間を満たす方法が提案されている。この方法の要点は、露光放射線が液体中では波長が短くなるため、より小さいフィーチャを結像することが可能であることである。（液体の効果は、システムの有効ＮＡも増加させ、焦点深度も深くするとみなされてもよい。）固体粒子（例えば、石英）を中に浮遊させた水等、他の浸漬液も提案されている。
【０００４】
しかし、基板又は基板と基板テーブルを液体の槽に浸漬させること（全体を参照として本明細書に援用される、米国特許第４５０９８５２号参照）は、走査露光中に大量の液体を加速させなければならないことを意味する。このことは、追加の又はより強力なモータを必要とし、液体中の乱流によって望ましくなく、予測できない作用がもたらされることがある。
【０００５】
提案されている１つの解決策としては、液体供給システム（基板は、一般に投影システムの最終要素よりも大きな表面積を有する）を使用して、基板の局部上、かつ投影システムの最終要素と基板の間のみに液体を供給する液体供給システムが提案されている。そうするために提案された１つの方法が、ＰＣＴ特許出願公開ＷＯ９９／４９５０４に開示されており、その全体を参照として本明細書に援用する。図２及び図３に示されているように、液体は、好ましくは最終要素に対する基板の相対移動の方向に沿って、少なくとも１つの入口ＩＮから基板上に供給され、投影システムの下を通過後、少なくとも１つの出口ＯＵＴから除去される。つまり、基板が要素の下を−Ｘ方向に走査されるとき、液体が要素の＋Ｘ側で供給され−Ｘ側で回収される。図２は、液体が入口ＩＮを介して供給され、要素の向こう側の、低圧源に接続された出口ＯＵＴによって回収される構成を概略的に示している。図２では、最終要素に対する基板の相対移動の方向に沿って液体が供給されているが、必ずしもこうである必要はない。様々な向き、並びに最終要素の周りに様々な入口及び出口の数を配置させることが可能であり、一例が図３に示されている。図３では、入口と片側の出口とが４組、最終要素の周りに規則的パターンで設けられている。
【０００６】
露光前に、基板の位置合せ及びレベリングが行われる。これには複雑でかさの高い装置が必要である。浸漬液を供給するために使用される装置もかさばることがあり、それ故、浸漬装置、並びに位置合せ及びレベリング装置の配列は難しい。更に、露光を行うための屈折率が周りの領域の屈折率と異なることがあり、従って、位置合せ及びレベリングはより複雑になる。従って、浸漬装置内での正確な位置合せ及びレベリングは、難しく、問題である。更に、位置合せ及びレベリングが近くの「乾式」環境で行われる場合、基板上に残留液があると、誤測定を招くことがある。
【発明の開示】
【発明が解決しようとする課題】
【０００７】
従って、例えば、浸漬リソグラフィ装置内での焦点合せが改善されたリソグラフィ投影装置を提供することが有利であろう。
【課題を解決するための手段】
【０００８】
一態様によれば、放射ビームを供給するように構成された照明システムと、ビームの断面にパターンを付与するように構成されたパターン形成装置を保持するように構成された支持構造と、基板を保持するように構成された基板テーブルと、基板の標的部分上にパターン形成されたビームを投影するように構成された投影システムと、投影システムと基板テーブルの間の空間を少なくとも部分的に第１の液体で満たすように構成された第１の液体供給システムと、基板上の複数の点の位置をそれぞれ測定するように構成され、かつ第１の液体供給システムからは供給されない第２の液体中で測定が行われるように構成された測定システムとを備えるリソグラフィ装置が提供される。
【０００９】
基板の測定及び露光の両方が浸漬液を通して行われるので、光路長の変化によって誤差が生じない。更に、例えばレベリング及び位置合せ等の測定が液体を通して行われる場合は、基板上の残留液に伴う問題を避けることができる。
【００１０】
一実施例では、装置は、測定システムと基板テーブルの間の空間を少なくとも部分的に第２の液体で満たすように構成された第２の液体供給システムを含む。第１の液体供給システムによって供給される第１の液体と、第２の液体供給システムで供給される第２の液体とは同じ種類であってよい。そうすることで、液体間の屈折率の違いによる誤差の解消に役立つはずである。
【００１１】
一実施例では、測定システムは、基板上の複数の点の高さ測定（つまり、Ｚ方向における測定）及び／又は傾斜測定（つまり、Ｒｘ及び／又はＲｙ方向における測定）を行うように構成されたレベル・センサを含む。例えば、基板上のある１点の高さを測定するには、ビームをある回折格子を介して投影させ、基板上のある１点で反射させ、次いで別の回折格子を介して投影させることができる。各回折格子の画像の重なりの程度が基板上のその点の高さを示す。従って、投影システムを使用して基板を露光する前に、基板上の複数の点の相対位置を、それぞれ液体を通してマッピングすることができる。
【００１２】
一実施例では、測定システムは、基板上の複数の位置合せマークの位置を測定（Ｘ、Ｙ及び／又はＲｚ方向における測定）するように構成された位置合せシステムを含む。浸漬液内での使用に特に適した位置合せセンサは、係属中のヨーロッパ特許出願第０３２５５３９５．０号に記載されている。基板は、参照基準を持つことができ、測定システムはその参照基準の位置を測定する。一実施例では、基板テーブルの参照基準を基準として複数の位置合せマークそれぞれの位置を測定して、参照基準を基準とする位置合せマークのマップを作成することができる。一実施例では、参照基準は透過画像センサを含む。
【００１３】
一実施例によれば、露光部及び別に設けた測定部があり、露光部には投影システムが設けられ、測定部には測定システムが設けられ、基板テーブルは露光部と測定部の間で移動可能となっている。更に、複数の基板テーブルを設け、それぞれを露光部と測定部の間で移動可能とすることもできる。基板テーブルは、基板を支持するように設計されており、移動のための装置を組み込むか、或いはモータや機械式アーム等、装置の別の部分によって移動させることもできる。
【００１４】
一実施例では、投影部及び測定部は別々である、つまり、１つの基板は同時に露光部と測定部に存在することはできない。従って、１つの基板テーブルをマッピング中に、第２の基板テーブルを露光することができる。従って、基板のスループットが上がり、装置はより効率的になり、所有コストが改善される。
【００１５】
一実施例では、位置合せシステムは、２つの互いに垂直な直線方向の変位、及びその２つの垂直方向によって規定される平面内の回転を測定する。
【００１６】
一実施例では、第１の液体供給システムの液体源と第２の液体供給システムの液体源とが同じである。こうすることにより、第１及び第２の液体供給システムの両方に同じ浸漬液を使用し、露光部及び測定部の両方に新鮮な浸漬液を供給するようにすることができる。従って、浸漬液の質又は特性が変わっても、測定部及び露光部の両方の全体にそれを行き渡らせることができる。従って、測定部と露光部の間の光路長の相対誤差を最小限に抑えることができる。一実施例では、第１及び第２の液体供給システムは接続されてもよい。例えば、測定部用の液体供給システムの出口からの浸漬液を、露光部用の液体供給システムの入口へ供給することができる。
【００１７】
一実施例によれば、第１の液体供給システム及び第２の液体供給システムが別々に設けられる。これらは、同じ液体源を持たず、接続もされていない。測定には特定の液体が有利であり得るが、露光部では他の液体を使用することが適切であり得る。
【００１８】
一実施例では、第１の液体供給システムは、投影システムと基板テーブル間の空間の境界の少なくとも一部に沿って延びる封止部材を含む。更に、第２の液体供給システムは、測定システムと基板テーブル間の空間の境界の少なくとも一部に沿って延びる封止部材を含む。従って、液体は、封止部材によって局部に封じ込められ、浸漬液による装置への損傷を最小限に抑えることができる。
【００１９】
一実施例では、液体供給システムは、封止部材と基板表面の間を封止するように構成されたシールを含む。このシールは、封止部材と基板テーブルの間に非接触シールを形成することができ、それにより、例えば、測定中又は走査露光中それぞれに、基板が、例えば投影システム及び／又は測定システムの下を移動するときに、投影システム及び／又は測定システムと基板テーブルとの間の空間に液体を封じ込める。シールは、気体シールでも、流体静力学的シールでも、流体動力学的シールでもよい。
【００２０】
封止部材は、円形であれ、方形であれ、又は他の形であれ、閉ループの形をとって空間の周りに設けられてもよいし、不完全なもの、例えばＵ字形を形成するものでも、単に空間の片側に沿って延びる形のものでさえもよい。封止部材が不完全な場合でも、それは、基板が投影システム及び／又は測定システムの下を移動するときに液体を封じ込める位置になければならない。
【００２１】
一実施例では、封止部材とシールの内側の基板表面との間隙は小さいので、毛管現象によって液体が間隙に引き込まれる。気体シールからのガスも、空間に入るのが防止される。封止部材の下に液体を引き込む毛管力と、ガス流の押し出しとの均衡がとられ、特に安定したシールが形成される。
【００２２】
一態様によれば、放射ビームを供給するように構成された照明システムと、ビームの断面にパターンを付与するように構成されたパターン形成装置を保持するように構成された支持構造と、基板を保持するように構成された基板テーブルと、基板の標的部分上にパターン形成されたビームを投影するように構成された投影システムと、測定ビームを使用して基板上の複数の点の位置をそれぞれ測定するように構成された測定システムと、投影システムと基板テーブルの間の空間、並びに測定システムと基板テーブルの間の空間を少なくとも部分的に液体で満たすように構成された液体供給システムとを備え、測定システムが、基板テーブルが投影ビーム及び測定ビームの経路内に同時に存在できないように構成されたリソグラフィ装置が提供される。
【００２３】
更なる態様によれば、測定システムから投影される測定ビームを使用して、基板上の複数の点の位置をそれぞれ測定する工程であって、測定が液体中で行われるが、基板と投影システムの間に供給される液体中では行われない工程と、基板と投影システムの間に供給される液体を通して、パターン形成された放射ビームを基板の標的部分上に投影する工程とを含む、デバイス製造方法が提供される。
【００２４】
更なる態様によれば、測定システムから投影される測定ビームを使用して、測定システムと基板の間に供給される液体中で基板上の複数の点の位置をそれぞれ測定する工程と、液体を通して、パターン形成された放射ビームを基板の標的部分上に投影する工程とを含み、パターン形成されたビーム及び測定ビームが、パターン形成されたビーム及び測定ビームの経路内に基板が同時に存在しないように構成されるデバイス製造方法が提供される。
【００２５】
デバイスは、先に述べたいくつかの方法に従って製造することができる。
【００２６】
さらなる態様によれば、放射ビームを供給するように構成された照明システムと、ビームの断面にパターンを付与するように構成されたパターン形成装置を保持するように構成された支持構造と、基板を保持するように構成された基板テーブルと、基板の標的部分上にパターン形成されたビームを投影するように構成された投影システムと、投影システムの最終要素と基板テーブルの間の空間を、少なくとも部分的に第１の液体で満たすように構成された第１の液体供給システムと、基板上の複数の点の位置をそれぞれ測定するように構成され、かつ第１の液体供給システムからは供給されない第２の液体中で測定が行われるように構成された測定システムとを備えるリソグラフィ装置が提供される。
【００２７】
本明細書では、ＩＣ製造におけるリソグラフィ装置の使用について特に述べるが、本明細書に記述するリソグラフィ装置は、磁気ドメイン・メモリ用の集積光学系、ガイダンス及び検出パターン、並びに、液晶表示装置（ＬＣＤ）、薄膜磁気ヘッド等の製造等、他の応用例も含むことができることを理解されたい。このような代替の応用例に関して、本明細書で「ウェハ」又は「ダイ」という用語が使われている場合は、より一般的な用語である「基板」又は「標的部分」とそれぞれ同義語とみなすことができることは、当業者には理解されよう。本明細書に記載する基板は、例えば、トラック（通常、基板にレジスト層を施し、露光されたレジストを現像するツール）、測定ツール又は検査ツールにおいて、露光の前又は後に処理することができる。応用可能であれば、本明細書の開示は、このような他の基板処理ツールに使用することができる。更に、基板は、例えば、多層ＩＣを作成するために２回以上処理することができる。従って、本明細書で使用する「基板」という用語は、処理済みの複数の層を既に含む基板であるとも言える。
【００２８】
本明細書で使用する「放射線」及び「ビーム」という用語は、紫外（ＵＶ）線（例えば、波長３６５、２４８、１９３、１５７又は１２６ｎｍを有するもの）等、あらゆる種類の電磁放射線を包含する。
【００２９】
本明細書で使用する「パターン形成装置」という用語は、投影ビームの断面にパターンを付与して、基板の標的部分にパターンを形成するため等に使用できるどんな装置も意味するとして広く解釈されたい。投影ビームに付与されるパターンは、基板の標的部分における所望のパターンに厳密には対応しないことがあることに留意されたい。一般に、投影ビームに付与されるパターンは、集積回路等、標的部分内に形成されるデバイス内の特定の機能層に対応する。
【００３０】
パターン形成装置は、透過性でも反射性でもよい。パターン形成装置の実施例には、マスク、プログラム可能ミラー・アレイ、及びプログラム可能ＬＣＤパネルが含まれる。マスクはリソグラフィ分野では公知であり、マスクの種類には、バイナリ・マスク、交互位相シフト・マスク及び減衰位相シフト・マスク、並びに様々なハイブリッド・マスクが含まれる。プログラム可能ミラー・アレイの実施例では、異なる方向から入る放射線ビームを反射するようにそれぞれ傾斜させることができる小さなミラーから成るマトリックス配列を使用し、このようにして反射ビームはパターン形成される。パターン形成装置の各実施例では、支持構造は、例えば必要に応じて固定又は移動可能で、パターン形成装置を、例えば、投影システムに対して所望の位置に存在させるようにできる、フレーム又はテーブルとすることができる。本明細書で「レチクル」又は「マスク」という用語が使われている場合は、より一般的な用語である「パターン形成装置」と同義語であるとみなすことができる。
【００３１】
本明細書で使用する「投影システム」という用語は、例えば、使用する露光放射線、或いは浸漬液の使用又は真空の使用等の他のファクタに適した屈折光学系、反射光学系、及び反射屈折光学系等、様々な種類の投影システムを包含するものとして広く解釈されるべきである。本明細書で「レンズ」という用語が使われている場合は、より一般的な用語である「投影システム」と同義語であるとみなすことができる。
【００３２】
照明システムも、放射線の投影ビームを案内し、整形し、又は制御するための屈折光学系、反射光学系、及び反射屈折光学系の構成要素等、様々な種類の光学系構成要素を包含し、このような構成要素もまた、以下に、一括して又は単独で「レンズ」と呼ぶことができる。
【００３３】
リソグラフィ装置は、２つ（２ステージ）以上の基板テーブル（及び／又は２枚以上のマスク・テーブル）を有する種類のものでよい。このような「複数ステージ」の機械装置では、並行して追加のテーブルも使用することができる。或いは１つ又は複数のテーブル上で予備工程を実行し、１つ又は複数の他のテーブルを露光のために使用することができる。例えば、１つの基板テーブルでレベリング測定を行い、別のステージ上で露光を行うことができる。
【００３４】
以下に、ほんの一例として、添付の概略図面を参照して、本発明の実施例について述べる。図面において、対応する参照番号は対応する部分を示す。
【実施例】
【００３５】
図１は、本発明の特定の実施例によるリソグラフィ装置の概略図である。この装置は、放射線（例えば、ＵＶ放射線）の投影ビームＰＢを供給する照明システム（照明器）ＩＬと、パターン形成装置（例えば、マスク）ＭＡを支持し、アイテムＰＬに対してパターン形成装置を正確に位置決めする第１の位置決め装置ＰＭに接続された第１の支持構造（例えば、マスク・テーブル）ＭＴと、基板（例えば、レジスト被膜ウェハ）Ｗを保持し、アイテムＰＬに対して基板を正確に位置決めする第２の位置決め装置ＰＷに接続された基板テーブル（例えば、ウェハ・テーブル）ＷＴと、パターン形成装置ＭＡによって投影ビームＰＢに付与されたパターンを、基板Ｗの標的部分Ｃ（例えば、１つ又は複数のダイを含む）上に結像させる投影システム（例えば、屈折投影レンズ）ＰＬとを含む。
【００３６】
図に示すように、装置は透過型のものである（例えば、透過マスクを使用したもの）。或いは、装置は屈折型のものでもよい（例えば、先に述べた型のプログラム可能ミラー・アレイを使用したもの）。
【００３７】
照明器ＩＬは、放射線源ＳＯから放射ビームを受ける。放射線源及びリソグラフィ装置は、例えば、放射線源がエキシマ・レーザである場合、別々の要素とすることができる。この場合、放射線源は、リソグラフィ装置の部分を形成するとはみなされず、放射ビームは、例えば、適切な誘導ミラー及び／又はビーム・エキスパンダを含むビーム供給システムＢＤによって、放射線源ＳＯから照明器ＩＬへ送られる。その他の場合、例えば、放射線源が水銀ランプの場合、放射線源は装置の一体部分とすることができる。放射線源ＳＯ及び照明器ＩＬ、並びにビーム供給システムＢＤが必要な場合はそれも併せて、放射システムと呼ぶことができる。
【００３８】
照明器ＩＬは、ビームの角輝度分布を調整する調整手段ＡＭを含むことができる。一般に、証明器の瞳平面における輝度分布の、少なくとも、半径方向の外側及び／又は内側の範囲（通常、それぞれσ−アウター及びσ−インナーと呼ばれる）を調整することができる。更に、照明器ＩＬは、一般に積分器ＩＮやコンデンサＣＯ等、様々な他の構成要素を含む。照明器は、投影ビームＰＢと呼ばれ、その断面において所望の均一性及び輝度分布を有する調節済みの放射ビームを提供する。
【００３９】
投影ビームＰＢは、マスク・テーブルＭＴ上に保持されたマスクＭＡに入射する。投影ビームＰＢは、マスクＭＡを横断後、投影システムＰＬを通過し、それにより基板Ｗの標的部分Ｃ上にビームが収束される。基板テーブルＷＴは、第２の位置決め装置ＰＷ及び位置センサＩＦ（例えば、干渉計装置）によって、例えば互いに異なる標的部分ＣがビームＰＢの経路内に位置するように、正確に移動することができる。同様に、第１の位置決め装置ＰＭ及び別の位置センサ（図１には明確に示していない）を、例えばマスク・ライブラリからの機械的検索の後に又は走査中に使って、マスクＭＡをビームＰＢの経路に対して正確な位置に配置させることができる。一般に、対象テーブルＭＴ及びＷＴの移動は、位置決め装置ＰＭ及びＰＷの一部を形成する、長いストロークのモジュール（大雑把な位置決め）及び短いストロークのモジュール（微細な位置決め）によって実現される。しかし、ステッパの場合（スキャナとは対照的に）、マスク・テーブルＭＴは、短いストロークのアクチュエータのみに接続又は固定されることがある。マスクＭＡ及び基板Ｗは、マスク位置合せマークＭ１及びＭ２、並びに基板位置合せマークＰ１及びＰ２を使用して位置合せすることができる。
【００４０】
図に示した装置は、次の好ましいモードで使用することができる。
【００４１】
１．ステップ・モードでは、マスク・テーブルＭＴ及び基板テーブルＷＴが、基本的に静止状態に保たれ、投影ビームに付与されたパターン全体が、ある標的部分Ｃ上に一度に投影される（つまり、単一静的露光）。次いで、別の標的部分Ｃを露光することができるように、基板テーブルＷＴをＸ及び／又はＹ方向にシフトさせる。ステップ・モードでは、露光領域の最大のサイズによって、単一静的露光で結像される標的部分Ｃの大きさが制限される。
【００４２】
２．スキャン・モードでは、マスク・テーブルＭＴ及び基板テーブルＷＴが、同期的に走査され、投影ビームに付与されたパターンが、ある標的部分Ｃ上に投影される（つまり、単一動的露光）。マスク・テーブルＭＴに対する基板テーブルＷＴの速度及び方向は、投影システムＰＬの拡大（縮小）特性及び像反転特性によって決まる。スキャン・モードでは、単一動的露光における標的部分の幅（非走査方向の幅）は、露光領域の最大のサイズによって制限されるが、標的部分の長さ（走査方向の長さ）は、走査動作の長さによって決まる。
【００４３】
３．別のモードでは、マスク・テーブルＭＴが、プログラム可能パターン形成装置を保持して基本的に静止状態に保たれ、基板テーブルＷＴが、移動又は走査され、投影ビームに付与されたパターンが、ある標的部分Ｃ上に投影される。このモードでは、一般に、パルス放射線源が使用され、プログラム可能パターン形成装置は、基板テーブルＷＴの移動が済む度に、又は走査中の連続的放射パルスの合間に必要に応じて更新される。この操作モードは、先に述べたような種類のプログラム可能ミラー・アレイ等、プログラム可能パターン形成装置を利用する、マスクなしのリソグラフィに容易に適用できる。
【００４４】
上記の使用モードの組合せ及び／又は変更、或いは全く異なる使用モードも利用することができる。
【００４５】
浸漬用リソグラフィ液供給システムには、投影システムの要素と基板テーブルの間の空間の境界の少なくとも一部に沿って延びる封止部材を設けることができる。封止部材は、Ｘ、Ｙ又はＺ方向に（但し、Ｚ方向は光軸の方向である）ある程度相対移動することがあるが、ＸＹ平面内の投影システムに対して実質的に静止している。シールは、封止部材と基板表面の間に形成される。一実施例では、シールは、気体シール等の無接触シールである。このようなシステムは、例えば、その全体を参照として本明細書に援用される米国特許出願第１０／７０５，７８３号に開示されている。
【００４６】
光路長は、光ビームが通過する媒体の屈折率によって変わる。従って、投影ビームが浸漬液を通して投影される場合、光路長は、同様のビームが気体を透過する場合とは異なる。位置合せ及び／又はレベリングの測定が、測定ビームを使用して乾式環境で行われ、露光が浸漬液を通して行われる場合、光路長の違いによって位置合せ誤差が生じ得る。光路長の違いが補償されたとしても、基板が２回目或いはそれ以降の回に位置合せ及び／又はレベリングされる時に基板上に残留浸漬液があると、更に誤差が生じ得る。
【００４７】
従って、一実施例では、図５に示すように、測定システム３０と基板テーブルＷＴの間の空間に液体（例えば、水）を供給して液体貯蔵槽２０を形成するように、液体供給口２８が設けられている。この実施例では、貯蔵槽２０は、測定システム３０のイメージ・フィールドの周りに基板に対して無接触シールを形成することによって、液体を封じ込め、基板表面と投影システム３０の最終要素との間の空間を満たしている。測定システム３０の最終要素の下でそれを取り囲んで位置する封止部材２２は、貯蔵槽２０と境を接し、液体供給口２８を含む。封止部材２２は、測定システムの最終要素の少し上に延び、上端部で測定システム又はその最終要素の、例えば丸みを帯びた形状にぴったりと一致する内周を有している。測定システムの下の空間及び封止部材２２内に液体が供給され、液体の液面が測定システム３０の最終要素より高くなり、液体緩衝域が提供される。
【００４８】
封止部材２２の底部と基板Ｗの表面の間に形成された気体シール２６によって、液体が槽内に封じ込まれる。気体シールは、例えば、空気又は人工空気、好ましくはＮ２又は別の不活性ガス等の気体によって形成されており、こうした気体は、封止部材２２と基板Ｗの間に入口２５から加圧供給され第１の出口２４から回収される。気体入口２５にかかる過剰圧力、第１の出口２４の真空度、及び間隙の幾何形状は、液体を封じ込めるための内側に向かう高速空気流が生じるように構成される。
【００４９】
或いは、気体シール１６の代わりに静圧軸受又は動圧シールを使用することもできる。静圧軸受については、ヨーロッパ特許出願第０３２５４０７８．３号に記載されている。ヨーロッパ特許出願公開第１４７７８５６号には、少なくともＺ方向に作動可能な封止部材が開示されており、このような封止部材は本発明にも適している。
【００５０】
槽２０を液体で満たした後、測定部で位置合せ及び／又はレベル測定を行うことができる。基板テーブルには、基準とも呼ばれることがある参照基準Ｆ１が設けられている。参照基準Ｆ１は、エッチングにより標準位置合せマークに対応するパターンで穴を開けたプレートを含むことができ、その下には、透過画像センサとしても知られる、放射線に反応する放射線センサがある。測定部では、測定システム３０内の位置合せシステムを使用し、基板テーブルＷＴを移動させて参照基準Ｆ１を検出し、次いで基板Ｗ上の複数の位置合せマークを検出し、そうすることで基板の複数の位置合せマークの位置（本明細書ではＸ、Ｙ及び／又はＲｚ方向を意味する）を探し出すことができる。一実施例では、位置合せマークの位置は、参照基準Ｆ１を基準にして測定され決められる。
【００５１】
次いで、測定部で基板のレベル測定が行われる。基板のレベルを測定するために、基板Ｗから反射される前に第１の回折格子を横切る、レベリング・ビーム（測定システム３０から投影される）を使用することができる。次いで、第２の回折格子を、基板Ｗから反射された後のレベリング・ビームの経路に配置する。レベル測定センサによって、第１及び第２の回折格子の画像が一致する程度が測定される。その程度は、基板Ｗの高さ（本明細書ではＺ方向を意味する）及び／又は傾斜（本明細書ではＲｘ及び／又はＲｙ方向を意味する）によって決まる。基板のレベル測定の更なる説明については、ヨーロッパ特許出願公開第１３０４５９７号を参照されたい。従って、基板の位置合せ及び基板のレベル測定からのデータを使用することによって、基板のマップを生成することができる。
【００５２】
基板Ｗの測定終了後、例えば気体入口の圧力を低下させ、液体を真空システムによって吸い出すことによって液体槽２０を空にすることができる。或いは、例えば図２、図３及び図４に示すケースでは、入口ＩＮから基板上への液体の流れを断ち、液体が出口ＯＵＴから吸い出されるようにすることによっても空にすることができる。
【００５３】
次いで、図６に示すように、基板テーブルＷＴを、別に設けた露光部へ移動させる。露光部は、測定部と同様な液体供給口１８、及び槽１０を収める封止部材１２を有する。封止部材１２の底部では、必ずしもそうである必要はないが、内周がイメージ・フィールドの、例えば方形の形状にぴったりと一致している。入口１５及び出口１４を有する気体シールも存在する。基板テーブルが露光部に移動した後、液体供給口１８を介して液体槽１０が満たされる。露光部での基板テーブルＷＴの正確な位置を確認するために、マスクＭＡ上の位置合せマークの空間像を介して、参照基準Ｆ１が立体的に走査される。参照基準がベスト・フォーカス平面内において、マスクのマークの画像と位置が合うと最大値信号が返される。従って、測定部で生成された基板Ｗのマップを使用することによって、基板Ｗ上の複数の点のそれぞれの位置（本明細書では位置、高さ及び／又は傾斜）が分かる。基板テーブルＷＴの移動を追跡するために、基板テーブルＷＴの１つ又は複数の側面に向けて投影される干渉計ビーム等、適切な位置測定装置を使用することができる。基板テーブルの特定の点を投影システムＰＬの焦点に置き、基板Ｗの標的部分Ｃを露光することができる。
【００５４】
次いで、槽１０と同様にして槽２０から液体が除去される。次いで、さらなる処理のために基板を取りはずし、新しい基板を基板テーブルＷＴ上に配置することができる。新しい基板を有する基板テーブルを測定部へ戻し、プロセスを繰り返すことができる。
【００５５】
基板テーブルＷＴの正確な位置の確認のために、先に述べた透過画像センサの位置を液体を通して、又は液体を通さずに感知して補正を加えることができる。
【００５６】
一実施例では、それぞれが参照基準を有する少なくとも２つの基板テーブルがあり、一方の基板テーブルが測定部に存在する間、他方は露光部に存在する。これらの基板テーブルは、露光部と測定部の間を移動可能である。
【００５７】
参照基準マークＦ１及び投影システムを使用して基板を位置合せする代わりに、光軸外測定を使用することができる。投影システムＰＬ近傍の別のシステムを使用して、参照基準マークＦ１に位置合せすることができる。或いは、異なる参照基準及び異なるシステム、例えば、投影システムの投影軸に垂直な軸を有するものを使用することもできる。このような光軸外測定については、更にヨーロッパ特許出願公開第０９０６５９０号に記載されている。
【００５８】
２つの液体供給口１８及び２８は、別々に設けられていても、接続されていてもよく、例えば液体源が同じでもよい。一方の槽の出口からの液体を、他方の槽の液体供給口の液体源とすることができる。
【００５９】
基板テーブルが投影システムの上にある場合（つまり、投影システムが図１と上下逆である場合）、槽１０及び２０内の液体を、必ずしも完全に除去する必要はなく、必要に応じて補充することができる。
【００６０】
局部的液体供給システムを有する浸漬リソグラフィの更なる解決手段が、図４に示されている。液体は、投影システムＰＬの各側にある２本の溝状入口ＩＮから供給され、入口ＩＮの半径方向外側に配置された複数の互いに離れた出口ＯＵＴから除去される。入口ＩＮ及び出口ＯＵＴは、中央に投影ビームが投影される穴部があるプレート内に配列することができる。液体は、投影システムＰＬの一方の側の１本の溝状入口ＩＮから供給され、投影システムＰＬと基板Ｗの間で薄膜状の液体の流れとなって、投影システムＰＬの他方の側の複数の互いに離れた出口ＯＵＴから除去される。どの入口ＩＮと出口ＯＵＴを組み合わせて使用するかは、基板Ｗの移動方向に応じて決まる（その際、他の組合せの入口ＩＮ及び出口ＯＵＴは休止している）。
【００６１】
本発明は、特に先に述べた種類のものに限らず、どんな浸漬リソグラフィ装置にも応用することができる。
【００６２】
本発明の特定の実施例についてこれまで記載してきたが、記載した以外の方法でも実施できることが理解されよう。本発明はその記載によって限定されるものではない。
【図面の簡単な説明】
【００６３】
【図１】本発明の一実施例によるリソグラフィ装置を示す概略図である。
【図２】本発明の一実施例による液体供給システムを示す概略図である。
【図３】本発明の一実施例による、図２の液体供給システムの概略代替図である。
【図４】本発明の一実施例による代替の液体供給システムを示す概略図である。
【図５】本発明の一実施例によるリソグラフィ投影装置の詳細を示す概略図である。
【図６】本発明の一実施例による、図５に示すリソグラフィ投影装置の、露光プロセスにおける異なる段を同様に詳細に示す概略図である。
【図１】
2005294839.tif 000003
【図２】
2005294839.tif 000004
【図３】
2005294839.tif 000005
【図４】
2005294839.tif 000006
【図５】
2005294839.tif 000007
【図６】
2005294839.tif 000008
【外国語明細書】
2005294839000001.pdf